(57)【要約】      （修正有）【課題】多段式の連動操作によって布押さえ足を確実に駆動し、操作区域を占有することなく、外部機構の配置も簡素化され、適度な隠蔽性を有し、使用上の要求を満足できるミシンの布押さえ足駆動装置を提供する。【解決手段】ミシンの布押さえ足駆動装置は、ミシン作業台上面の機台に設置され、連杆機構によって布押さえ足３０を上昇させるものである。駆動装置は、機台に設置され、二つの相対する端部を有する連動機構４０と、連動機構４０の一端部と接続される操作機構５０と、二つの端部を有し、連動機構４０の他の端部および連杆機構の端部とそれぞれ接続される作動部材６０と、を備える。【選択図】図７
0003142980.tif 000002
【実用新案登録請求の範囲】
【請求項１】
ミシン作業台上面の機台に設置され、連杆機構によって布押さえ足を上昇させる布押さえ足駆動装置であって、
前記駆動装置は、前記機台に設置され、二つの相対する端部を有する連動機構と、前記連動機構の一端部と接続される操作機構と、二つの端部を有し、前記連動機構の他の端部および前記連杆機構の端部とそれぞれ接続される作動部材と、を備えることを特徴とするミシンの布押さえ足駆動装置。
【請求項２】
前記連動機構は、連動杆および前後の端部に設けられる連動ロッドを備えることを特徴とする請求項１記載のミシンの布押さえ足駆動装置。
【請求項３】
前記連動杆は、前記機台の中空内部に横向きに枢動可能に設置され、前端の前記連動ロッドは前記機台前方に位置し、後端の前記連動ロッドは機台一側から突出することを特徴とする請求項２記載のミシンの布押さえ足駆動装置。
【請求項４】
前記操作機構は、操作ペダルおよび作動チェーンを備え、前記作動チェーンは前記作業台を経由して上方の前記連動杆後方の連動ロッドと接続されることを特徴とする請求項２または３記載のミシンの布押さえ足駆動装置。
【請求項５】
前記作動部材は、引張チェーンを備え、下方の前記連動杆前端の連動ロッドと接続されることを特徴とする請求項４記載のミシンの布押さえ足駆動装置。
【請求項６】
前記操作機構は、電磁石アクチュエータおよび引張レバーを備え、前記連動杆後端の連動ロッドを作動させることを特徴とする請求項２または３記載のミシンの布押さえ足駆動装置。
【請求項７】
前記電磁石アクチュエータは、前記機台内部に設置されることを特徴とする請求項６記載のミシンの布押さえ足駆動装置。
【請求項８】
前記電磁石アクチュエータは、前記作業台底部に設置され、前記引張レバーが操作レバーおよび前記作業台を経由して上方の連動杆後端の連動ロッドと接続された作動チェーンを作動させることを特徴とする請求項６記載のミシンの布押さえ足駆動装置。
【考案の詳細な説明】
【技術分野】
【０００１】
本考案はミシンの布押さえ足駆動装置に関し、特に、ミシンの布押さえ足に使用される駆動装置の改良に関する。
【背景技術】
【０００２】
ミシンの動力装置の主要な構成部材として、作業台または機台外部に動力源（例えばモータ）が設けられ、動力源の動力は連結部材によってヘッドおよびアームから構成される機体に伝導される。
【０００３】
従来技術のミシン動力装置の主要な構成部材として、作業台表面にヘッドおよびアームから構成される機体が設けられ、ヘッドには針棒装置、糸切り装置および布押さえ足が設けられる。モータは機台に設けられ、モータおよび機体の対応する位置にはプーリがそれぞれ設けられ、ベルトが接合されて連動する。
【０００４】
上述の作業台表面に固定される機台の形状および大きさは被縫製物が放置される操作区域に影響を及ぼすので、従来技術の機台の構造においてはミシンを吊持支持する必要があり、ヘッドの布押さえ足の駆動装置は操作区域から離れた位置に設置するのが好ましい。
【０００５】
しかし、従来技術によるべダルおよび引張レバーによる布押さえ足駆動装置は操作区域を占有し、外観も優れない。また、電気制御または空気制御の駆動装置はコストが増加し、関連部材のメンテナンスおよび配線の問題を考慮する必要があったので、構造の改良が必要であった。
【特許文献１】特開平６−１２６０６９号公報
【考案の開示】
【考案が解決しようとする課題】
【０００６】
本考案の目的は、多段式の連動操作の組合せによって、布押さえ足を確実に駆動し、操作区域を占有することなく、外部機構の配置も簡素化でき、適度な隠蔽性を有し、使用上の要求を満足できるミシンの布押さえ足駆動装置を提供することにある。
【課題を解決するための手段】
【０００７】
上述の課題を解決するために、本考案の布押さえ足駆動装置は、ミシン作業台上面の機台に設置され、連杆機構によって布押さえ足を上昇させるものである。駆動装置は、機台に設置され、二つの相対する端部を有する連動機構と、連動機構の一端部と接続される操作機構と、二つの端部を有し、連動機構の他の端部および連杆機構の端部とそれぞれ接続される作動部材と、を備える。
【０００８】
連動機構は、連動杆および前後の端部に設けられる連動ロッドを備える。
【０００９】
連動杆は、機台の中空内部に横向きに枢動可能に設置され、前端の連動ロッドは機台前方に位置し、後端の連動ロッドは機台一側から突出する。
【００１０】
操作機構は、操作ペダルおよび作動チェーンを備え、作動チェーンは作業台を経由して上方の連動杆後方の連動ロッドと接続される。
【００１１】
作動部材は、引張チェーンを備え、下方の連動杆前端の連動ロッドと接続される。
【００１２】
操作機構は、電磁石アクチュエータおよび引張レバーを備え、連動杆後端の連動ロッドを作動させる。
【考案の効果】
【００１３】
本考案のミシンの布押さえ足駆動装置は多段式の連動操作によって布押さえ足を確実に駆動し、操作区域を占有することなく、外部機構の配置も簡素化され、適度な隠蔽性を有し、使用上の要求を満足できる。
【考案を実施するための最良の形態】
【００１４】
本考案の目的、特徴および効果を示す実施例を図に沿って詳細に説明する。
【００１５】
図１、２、３、４に示すように、ミシン１０の作業台１２上表面には機台１１が固定され、機台１１は下方から上方、且つ、前方の空中に延伸され、ミシン１０機体の反対側に固定される。モータ２０が作業台１２底部に固定され、クラッチおよび関連する引張レバー２５およびペダル２４が配置され、布押さえ足駆動装置がミシンの作業空間を占有するのを防ぐ。
【００１６】
ミシン１０の機台１１後端底部は作業台１２の開口上に固定される。機台１１は上蓋１７を有し、内部には二つの支持板１８および収容空間を有し、プーリ２２を有する伝導軸機構２１が設置される。伝導軸機構２１はモータ２０と連動し、プーリ２２およびベルト２３を通じてミシン１０の主軸１４およびプーリ１５が駆動され、縫製作業が行われる。
【００１７】
図１、２、３、４に示すように、本考案のミシンの布押さえ足駆動装置は、作業台１２上面の機台１１に設置され、連杆機構によって布押さえ足３０が上昇する。図７、８に示すように、布押さえ足３０はヘッド１３部分に活動可能に貫設され、押さえ足３１および押さえ棒３２を有し、連杆機構の連杆３３および両端のレバー３４、３５が加わって布押さえ足３０の昇降が行なわれる。
【００１８】
図４、５、６に示すように、本考案の駆動装置は、機台１１に設置され、二つの相対する端部を有する連動機構４０と、操作端および反対の作動端を有し、作動端が連動機構４０の一端部と接続される操作機構５０と、二つの端部を有し、連動機構４０の他の端部および連杆機構の端部とそれぞれ接続される作動部材６０と、を備え、それによって布押さえ足３０を確実に駆動して上昇させて位置決めし、駆動装置が操作区域を占有することがなく、外部機構の配置も簡素化される。
【００１９】
図４、５、６、７に示すミシンの布押さえ足駆動装置において、連動機構４０は、連動杆４１および連動杆４１端部に設置される連動ロッド４２、４３を備える。図に示すように、連動杆４１は、機台１１内部の支持板１８側部に枢動可能に設置され、その前端の連動ロッド４２は延伸して機台１１前方に位置し、後端の連動ロッド４３は機台１１一側の長形溝１９から突出する。連動ロッド４３には復位ばね４４が接続され、復位ばね４４上端は機台１１に固定され、常時連動機構４０後端の連動ロッド４３を上方に引張る。
【００２０】
図３、５、７に示すように、本考案の駆動装置の操作機構５０は操作ペダル５１および作動チェーン５２を備える。作動チェーン５２は作業台１２の貫通孔１６を経由して連動杆４１後端の連動ロッド４３と接続され、連動機構４０の揺動動作を制御することができる。同時に駆動装置の作動部材は引張チェーンを備え、引張チェーンの下端は連動杆４１前端の連動ロッド４２と接続され、上端は連杆機構のレバー３４と接続される。
【００２１】
ミシン１０の縫製作業中、布押さえ足３０を上昇させたいとき、先ず縫製動作を停止し、操作機構５０の操作ペダル５１を下方に踏み（図８を参照）、作動チェーン５２および連動ロッド４３を引張り、連動杆４１と連動ロッド４２を回動させ、作動部材６０、レバー３４、３５および連杆３３を通じて布押さえ足３０を上昇させる。
【００２２】
図９は本考案の他の実施例を示す。操作機構５０は電磁石アクチュエータ５３および引張レバー５４を備え、連動杆４１後端の連動ロッド４３を作動させる。電磁石アクチュエータ５３は機台１１内部に設置することができる（図４を参照）。また、図１０に示すように、電磁石アクチュエータ５３を作業台１２底部に設置することもでき、引張レバー５４が操作レバー５５および作業台１２を経由して上方の連動杆４１後端の連動ロッド４３と接続された作動チェーン５２を作動させる。
【００２３】
本考案のミシンの布押さえ足駆動装置は多段式の連動操作によって布押さえ足を確実に駆動し、操作区域を占有することなく、外部機構の配置も簡素化され、適度な隠蔽性を有し、使用上の要求を満足できる。
【００２４】
以上の説明は本考案の実施例を示すものであり、本考案を制限するものではなく、本考案の主旨を逸脱しない範囲における変更および修飾はすべて本考案の実用新案登録請求の範囲に含まれる。
【図面の簡単な説明】
【００２５】
【図１】本考案の布押さえ足駆動装置をミシンに設置した状態を示す斜視図である。
【図２】図１の背面を示す斜視図である。
【図３】図１の正面図である。
【図４】図１の上面図である。
【図５】図４の機台および布押さえ脚駆動装置を示す斜視図である。
【図６】図５の駆動装置を示す拡大図である。
【図７】本考案の一実施例による布押さえ足駆動装置の構造を示す側面図である。
【図８】図７の駆動装置が布押さえ足を上昇させる状態を示す側面図である。
【図９】本考案のその他の実施例による布押さえ足駆動装置の構造を示す側面図である。
【図１０】本考案の更にその他の実施例による布押さえ足駆動装置の構造を示す側面図である。
【符号の説明】
【００２６】
１０  ミシン
１１  機台
１２  作業台
１３  ヘッド
１４  主軸
１５  プーリ
１６  貫通孔
１７  上蓋
１８  支持板
１９  溝
２０  モータ
２１  伝導軸セット
２２  プーリ
２３  ベルト
２４  ペダル
２５  引張レバー
３０  布押さえ足
３１  押さえ足
３２  押さえ棒
３３  連杆
３４、３５  レバー
４０  連動機構
４１  連動杆
４２、４３  連動ロッド
４４  復位ばね
５０  操作機構
５１  操作ペダル
５２  作動チェーン
５３  電磁石アクチュエータ
５４  引張レバー
５５  操作レバー
６０  作動部材
【図１】
0003142980.tif 000003
【図２】
0003142980.tif 000004
【図３】
0003142980.tif 000005
【図４】
0003142980.tif 000006
【図５】
0003142980.tif 000007
【図６】
0003142980.tif 000008
【図７】
0003142980.tif 000009
【図８】
0003142980.tif 000010
【図９】
0003142980.tif 000011
【図１０】
0003142980.tif 000012